(57)【特許請求の範囲】
【請求項１】
所定の振り石半径（ＲＯ）の振り石（１２）を備えかつ所定の旋回半径（ＲＧ）に亘って振動するテンプ（１１）を含む時計用脱進機機構（１０）のためのアンクルレバー（１）であって、
前記アンクルレバー（１）は開口部（３）の各側に、前記振り石（１２）と協働する第１の角状部（２Ａ）及び第２の角状部（２Ｂ）を含む、アンクルレバー（１）において、
前記第１の角状部（２Ａ）及び前記第２の角状部（２Ｂ）は、アンクルレバーの枢軸（Ｄ）を通過する正中面（Ｐ）に関して互いに対称な外形を有し；
前記第１の角状部（２Ａ）及び前記第２の角状部（２Ｂ）は、それぞれ前記開口部（３）の境界を画定しかつ前記旋回半径（ＲＧ）と前記振り石半径（ＲＯ）との合計以上である第１の曲率半径（ＲＣ１）を有する第１の円柱形セクタ（２１）の周を巡る凹状内側外形（２０）を有し；
前記凹状内側外形（２０）は、前記旋回半径（ＲＧ）と前記振り石半径（ＲＯ）との差以下である第２の曲率半径（ＲＣ２）を有し、前記開口部（３）に対向して配置される第２の円柱形セクタ（２６）の周を巡る凸状外側外形（２５）に隣接する
ことを特徴とする、アンクルレバー（１）。
【請求項２】
前記第１の曲率半径（ＲＣ１）は、前記旋回半径（ＲＧ）、前記振り石半径（ＲＯ）及び角状部のクリアランス（ＥＣ）の合計以上であること、並びに
前記第２の曲率半径（ＲＣ２）は、前記旋回半径（ＲＧ）と、前記振り石半径（ＲＯ）と前記角状部のクリアランス（ＥＣ）との合計との差以下であること
を特徴とする、請求項１に記載のアンクルレバー（１）。
【請求項３】
前記角状部のクリアランス（ＥＣ）は０．０５０ｍｍ以下であることを特徴とする、請求項２に記載のアンクルレバー（１）。
【請求項４】
前記第１の角状部（２Ａ）の凹状内側外形（２０Ａ）および前記第２の角状部（２Ｂ）の凸状外側外形（２５Ｂ）は、いずれも前記第２の角状部（２Ｂ）の凹状内側外形（２０Ｂ）の中央（ＯＢ）を中心とし、
前記第２の角状部（２Ｂ）の凹状内側外形（２０Ｂ）および前記第１の角状部（２Ａ）の凸状外側外形（２５Ａ）は、いずれも前記第１の角状部（２Ａ）の凹状内側外形（２０Ａ）の中央（ＯＡ）を中心とする
ことを特徴とする、請求項１に記載のアンクルレバー（１）。
【請求項５】
前記レバーは、前記角状部（２Ａ；２Ｂ）の周りに、前記振り石の移動距離を制限する外側リング（１７）を含み、
前記外側リング（１７）は、前記第１の角状部（２Ａ）の前記凸状外側外形（２５Ａ）に対面する第１の内側制限表面（１７Ａ）と、前記第２の角状部（２Ｂ）の前記凸状外側外形（２５Ｂ）に対面する第２の内側制限表面（１７Ｂ）とを含む
ことを特徴とする、請求項１に記載のアンクルレバー（１）。
【請求項６】
前記外側リング（１７）と前記凸状外側外形（２５Ａ；２５Ｂ）との間の空間は、前記振り石半径（ＲＯ）と、０．１００ｍｍ以下の径方向遊び（Ｊ）との和の２倍に等しいことを特徴とする、請求項５に記載のアンクルレバー（１）。
【請求項７】
前記レバーは前記凹状内側外形（２０Ａ；２０Ｂ）それぞれの上に、上記テンプ（１１）の天真（１１０）の通路としてサイズ設定されたノッチ（１８Ａ；１８Ｂ）を含むことを特徴とする、請求項１に記載のアンクルレバー（１）。
【請求項８】
前記レバーは、前記アンクルレバーの枢軸（Ｄ）に最も近い前記外側外形（２５Ａ；２５Ｂ）の端部に、前記振り石（１２）のための停止部材を形成するよう配設されている運動領域の端部（１９Ａ；１９Ｂ）を含むことを特徴とする、請求項１に記載のアンクルレバー（１）。
【請求項９】
前記レバーはスイスレバーであることを特徴とする、請求項１に記載のアンクルレバー（１）。
【請求項１０】
前記アンクルレバーは平坦であり、剣先をもたないことを特徴とする、請求項１に記載のアンクルレバー（１）。
【請求項１１】
所定の振り石半径（ＲＯ）の振り石（１２）を備え、かつテンプの枢軸（Ｄ１）の周りで所定の旋回半径（ＲＧ）に亘って振動する、請求項１に記載のアンクルレバー（１）と協働するためのテンプ（１１）であって、
前記テンプ（１１）は、前記振り石（１２）を支持する単一の振り座を含むことを特徴とする、テンプ（１１）。
【請求項１２】
前記振り石（１２）を支持する前記単一の振り座は、前記テンプ（１１）の天輪で形成されることを特徴とする、請求項１１に記載のテンプ（１１）。
【請求項１３】
所定の振り石半径（ＲＯ）の振り石（１２）を備えかつテンプの枢軸（Ｄ１）の周りで所定の旋回半径（ＲＧ）に亘って振動するテンプ（１１）を含む、脱進機機構（１０）であって、
前記振り石（１２）は、請求項１に記載のアンクルレバー（１）と協働することを特徴とする、脱進機機構（１０）。
【請求項１４】
前記テンプ（１１）は、前記振り石（１２）を支持する単一の振り座を含むことを特徴とする、請求項１３に記載の脱進機機構（１０）。
【請求項１５】
前記振り石（１２）を支持する前記単一の振り座は、前記テンプ（１１）の天輪で形成されていることを特徴とする、請求項１４に記載の脱進機機構（１０）。
【請求項１６】
請求項１３に記載の脱進機機構（１０）を少なくとも１つ含む、機械式時計ムーブメント（３０）。
【請求項１７】
請求項１６に記載の機械式時計ムーブメント（３０）を少なくとも１つ含む、腕時計（４０）。
【発明の詳細な説明】
【技術分野】
【０００１】
本発明は、所定の半径の振り石を備えかつ所定の旋回半径に亘って振動するテンプを有する時計用脱進機機構のためのアンクルレバーに関し、上記アンクルレバーは、開口部の各側に、このタイプの振り石と協働する第１の角状部及び第２の角状部を有する。
【０００２】
本発明はまた、所定の振り石半径の振り石を備え、かつテンプの枢軸の周りで所定の旋回半径に亘って振動するテンプにも関する。
【０００３】
本発明はまた、テンプの枢軸の周りで枢動しかつ所定の旋回半径に所定の半径の振り石を備えるテンプと、上記タイプのアンクルレバーとを有する脱進機機構にも関する。
【０００４】
本発明は、また少なくとも１つのこのような脱進機機構を含む機械式時計ムーブメントにも関する。
【０００５】
本発明はまた、少なくとも１つのこのタイプの機械式時計ムーブメントを含む腕時計にも関する。
【０００６】
本発明は、時計用脱進機機構の分野に関する。
【背景技術】
【０００７】
脱進機、特にスイスレバー式脱進機を備える腕時計では、脱進機の機能は、腕時計が受けるいずれの衝撃に関係なく維持されなければならない。脱進機は剛性でなければならず、また腕時計の全ての位置における軸方向及び径方向の衝撃に耐えられなければならない。これを達成するために、脱進機用安全デバイスと呼ばれる機械要素は、回転又は振動要素の移動距離を制限することによって、動作を中断させるか又は腕時計を停止させ得るいずれの危険な位置を回避する。
【０００８】
特にスイスレバー式脱進機では、これらの安全機能は少なくとも角状部と剣先とによって保証されている。このシステムの信頼性及び堅牢性は証明されているものの、複数の別個の構成部品を必要とし、これによって製造コスト及び低品質化のリスクが上昇する。角状部と剣先とを２つの別個の高さに配設するため、十分な分離が必要となり、これはムーブメントの高さ、従って腕時計の最終的な厚さに大きく影響する。
【０００９】
ＷＡＬＤによる特許文献１は、正中面に関して対称な、それぞれ凹状内側外形及び凸状外側外形を有する２つの角状部を有する、アンクルレバーを開示している。
【先行技術文献】
【特許文献】
【００１０】
【特許文献１】フランス特許第２０６８７６号
【発明の概要】
【発明が解決しようとする課題】
【００１１】
本発明は、それがスイスレバー式、イングリッシュレバー式、ピンパレット式又は同様の脱進機のいずれであるかに関わらず、レバー脱進機の角状部及び剣先の安全機能を組み合わせることによって、安全デバイスの設計を改善することを提案する。
【課題を解決するための手段】
【００１２】
本発明は角状部の設計を最適化することによって、テンプの振動の補弧中のアンクルフォークの偶発的な運動を防止するように設計された剣先にこれまで付与されてきた安全機能を保証する。本発明によるアンクルレバーは、剣先をもたないレバーである。
【００１３】
本発明によるアンクルレバーは、「蟹爪（ｃｒａｂ  ｃｌａｗｓ）」として知られる角状部の特定の形状により、ある１つの高さにあり、単独で全ての安全機能を実行する。
【００１４】
本発明により、これ以降ある１つの高さに作製でき、かつ考えられる全ての製造技術を使用できるアンクルレバーだけでなく、テンプも簡素化することができるが、それはレバーから剣先がなくなることによって安全振り座が必要なくなるためである。振り石を備える振り座又は場合によってはアームのみが、必要なものとして残る。このようにしてテンプの厚さを削減できる。
【００１５】
この目的のために、本発明は、所定の半径の振り石を備えかつ所定の旋回半径に亘って振動するテンプを含む時計用脱進機機構のためのアンクルレバーに関し、上記アンクルレバーは、開口部の各側に、このタイプの振り石と協働する第１の角状部及び第２の角状部を有する。このアンクルレバーは：上記角状部が、アンクルレバーの枢軸を通る正中面に関して互いに対称な外形を有し；また上記角状部がそれぞれ、上記開口部の境界を形成する、上記旋回半径と上記振り石半径との合計以上の第１の曲率半径を有する第１の円柱形セクタの周を巡る凹状内側外形を有し；上記凹状内側外形が、上記旋回半径と上記振り石半径との差以下の第２の曲率半径を有する第２の円柱形セクタの周を巡る凸状外側外形に隣接することを特徴とする。
【００１６】
本発明は、また所定の振り石半径の振り石を備え、かつテンプの枢軸の周りで所定の旋回半径に亘って振動するテンプにも関し、このテンプは上記振り石を備える単一の振り座を有する。
【００１７】
本発明はまた、テンプの枢軸の周りで枢動しかつ所定の旋回半径に亘る所定の半径の振り石を備えるテンプと、上記タイプのアンクルレバーとを有する脱進機機構にも関する。
【００１８】
本発明はまた、少なくとも１つのこのような脱進機機構を有する機械式時計ムーブメントにも関する。
【００１９】
本発明はまた、少なくとも１つのこのタイプの機械式時計ムーブメントを有する腕時計にも関する。
【００２０】
本発明の他の特徴及び利点は、添付した図面を参照して以下の詳細な説明を読むことにより明らかになるであろう。
【図面の簡単な説明】
【００２１】
【図１】図１は、剣先をもたないアンクルレバー及び安全振り座をもたないテンプを有する本発明による脱進機機構の、テンプの枢軸及びアンクルレバーの枢軸を通る平面における概略部分断面図である。
【図２】図２は、本発明による最適化された角状部を有する剣先をもたないアンクルレバーの一端の、２つの傾斜停止部材の間の対称なロック位置における概略部分平面図である。
【図３】図３は、図２のアンクルレバーの、時計回り方向の振動中に停止部材に対して当接する位置における図２と同様の図である。
【図４】図４は、図３のアンクルレバーの、反時計回り方向の振動中に停止部材に対して当接する位置における図３と同様の図である。
【図５】図５は、本発明による最適化された角状部を有する剣先をもたないスイスレバーの、反時計回り方向の振動中に停止部材に対して当接する位置における概略平面図である。
【図６】図６は、本発明による最適化された角状部を有し、振り石の移動距離を制限する外側リングを有する剣先をもたないスイスレバーの、反時計回り方向の振動中に停止部材に対して当接する位置における概略平面図である。
【図７】図７は、本発明による最適化された角状部を有し、振り石の移動距離を制限する外側リングを有し、天真の通路としてサイズ設定されたノッチを更に有し、剣先をもたないスイスレバーの、反時計回り方向の振動中に停止部材に対して当接する位置における概略平面図である。
【図８】図８は、剣先をもたないアンクルレバー及び安全振り座を有するテンプを有する本発明による脱進機機構の、テンプの枢軸及びアンクルレバーの枢軸を通る平面における詳細な概略部分断面図である。
【図９】図９は、図８の機構の概略部分平面図である。
【図１０】図１０は、本発明による脱進機機構を有するムーブメントを含む腕時計のブロック図である。
【発明を実施するための形態】
【００２２】
本発明は、時計用脱進機機構の分野に関する。
【００２３】
本発明は、レバー脱進機の角状部及び剣先の安全機能を組み合わせることによって、安全デバイスの設計を改善する。好ましくかつ一般的な、ただし非限定的な例であるスイスレバーについて、本発明をより詳細に説明する。
【００２４】
本発明は、時計用脱進機機構１０のためのアンクルレバー１、特にスイスレバーに関し、上記時計用脱進機機構１０は、所定の振り石半径ＲＯの振り石１２を備えるテンプ１１を含み、上記テンプ１１は所定の旋回半径ＲＧに亘って振動する。
【００２５】
本発明によるアンクルレバー１は、好ましくはこれらのパラメータに応じた所定の振り石半径ＲＯ及び所定の旋回半径ＲＧを有する所定のタイプのテンプに関して考案されている。
【００２６】
アンクルレバー１は開口部３の各側に、このタイプの振り石１２と協働する第１の角状部２Ａ及び第２の角状部２Ｂを含む。
【００２７】
開口部３のサイズ設定はテンプ１１との協働に応じて、またアンクルレバーの枢軸Ｄに対するアンクルレバーのヘッドのレバーアームＬにも応じて行われる。
【００２８】
アンクルレバー１がこのアンクルレバーの枢軸Ｄの周りで枢動する際、角状部２Ａ、２Ｂはそれぞれ円形の軌跡を描く。
【００２９】
本発明によると、図２に見られるように、第１の角状部２Ａ及び第２の角状部２Ｂは、アンクルレバーの枢軸Ｄを通過する正中面Ｐに関して互いに対称な外形を有する。第１の角状部２Ａ及び第２の角状部２Ｂはそれぞれ：
−開口部３の境界を画定しかつ第１の曲率半径ＲＣ１を有する第１の円柱形セクタ２１の周を巡る凹状内側外形２０（この第１の曲率半径ＲＣ１は、旋回半径ＲＧと振り石半径ＲＯとの合計以上である）を含み；
−この凹状内側外形２０は、第２の曲率半径ＲＣ２を有する第２の円柱形セクタ２６の周を巡る凸状外側外形２５に隣接する（この第２の曲率半径ＲＣ２は、旋回半径ＲＧと振り石半径ＲＯとの差以下であり；この第２の円柱形セクタ２６は開口部３に対向して配置されている）。
【００３０】
特定の実施形態では、第１の曲率半径ＲＣ１は、旋回半径ＲＧ、振り石半径ＲＯ及び角状部のクリアランスＥＣの合計以上であり、第２の曲率半径ＲＣ２は、旋回半径ＲＧと、振り石半径ＲＯと角状部のクリアランスＥＣとの合計との差以下である。好ましくは角状部のクリアランスＥＣは０．０５０ｍｍ以下である。
【００３１】
従って凹状内側外形２０及び凸状外側外形２５は互いに対して、アンクルレバーの枢軸Ｄに対して平行な、旋回半径ＲＧに等しい半径を有する円柱が、角状部のクリアランスの範囲内において、一方の角状部２Ａ、２Ｂの凸状外側外形２５Ａ、２５Ｂと、他方の角状部２Ｂ、２Ａの凹状内側外形２０Ｂ、２０Ａとの間の組み合わせによって得られる外形の振り石半径ＲＯの値の距離にあるように配設され、これにより、凹状内側外形２０及び凸状外側外形２５が、図２に見られるように枢軸Ｄ１が正中面Ｐにおいて脱進機機構１０の対称ロック位置にあるこのタイプのテンプ１１の振り石１２の軌跡１５又は１６に接する。
【００３２】
こうして、テンプ１１の振動の第１の部分では、この凹状内側外形２０が、衝撃を受けた場合のアンクルレバー１のいずれの乗り上げを防止し、テンプ１１の振動の残りの部分に対応する第２の部分では、上記凸状外側外形２５が、衝撃を受けた場合のアンクルレバー１のいずれの乗り上げを防止する。
【００３３】
図３は、このタイプのアンクルレバー１の、時計回り方向の振動中に脱進機機構１０の制限子１３Ｂに対して当接する位置における図であり、振り石１２の軌跡１５を点線で示している。同様に図４は、同じアンクルレバー１の、反時計回り方向の振動中に脱進機機構１０の制限子１３Ａに対して当接する位置における図であり、振り石１２の軌跡１６を点線で示している。
【００３４】
アンクルレバー１は好ましくは、アンクルレバーの枢軸Ｄに最も近い外側外形２５Ａ；２５Ｂの端部に、このタイプの振り石１２のための停止部材を形成するよう配設される運動領域の端部１９Ａ、１９Ｂを有する。
【００３５】
図２〜４に示すように、好ましい実施形態では、各角状部２Ａ、２Ｂの凹状内側外形２０は、対向する各角状部２Ｂ、２Ａの凹状内側外形の中央ＯＢ、ＯＡにセンタリングされ、これら中央ＯＢ、ＯＡは、上述の角状部２Ａ、２Ｂの凸状外側外形２５の中心にもなる。
【００３６】
図６はスイスレバー１を示し、このスイスレバー１は、角状部２Ａ、２Ｂの周りに、振り石の移動距離を制限する外側リング１７を含み、この外側リング１７は、第１の角状部２Ａの凸状外側外形２５Ａに対面する第１の内側制限表面１７Ａと、第２の角状部２Ｂの凸状外側外形２５Ｂに対面する第２の内側制限表面１７Ｂとを含む。この変形例の特定の実施形態では、外側リング１７と凸状外側外形２５Ａ、２５Ｂとの間の空間は、振り石半径ＲＯと、０．１００ｍｍ以下の径方向遊びＪとの和の２倍に等しい。この変形例では、特に振り石２が一方の角状部の遠位端を離れて対向する角状部に再接合する際に衝撃が発生した場合の安全性が更に向上する。
【００３７】
図７はスイスレバーを示し、これは図６のレバーの変形例であり、凹状内側外形２０Ａ、２０Ｂそれぞれの上に、上記タイプのテンプ１１の天真１１０の通路としてサイズ設定されたノッチ１８Ａ、１８Ｂを有する。これらのノッチは、図２〜５に示したもの等のその他のレバーの変形例においても作製してもよい。
【００３８】
これらの様々な実施形態では、本発明によるアンクルレバー１は好ましくは平坦であり、剣先をもたない。
【００３９】
本発明はまた、所定の振り石半径ＲＯの振り石１２を備え、かつテンプの枢軸Ｄ１の周りで所定の旋回半径ＲＧに亘って振動する、テンプ１１にも関する。本発明によると、テンプ１１は、振り石１２を支持する単一の振り座を含む。このテンプ１１は、上述のタイプのアンクルレバー１と協働するのに適している。
【００４０】
特定の実施形態では、振り石１２を支持する単一の振り座は、テンプ１１の天輪で形成される。
【００４１】
本発明は更に、テンプの枢軸Ｄ１の周りで枢動しかつ所定の旋回半径ＲＧに亘る所定の半径ＲＯの振り石１２を備えるテンプ１１と、本発明によるアンクルレバー１とを含む、脱進機機構１０にも関する。
【００４２】
有利には、テンプ１１は振り石１２を支持する単一の振り座を含む。より詳細には、振り石１２を支持する単一の振り座は、テンプ１１の天輪で形成される。
【００４３】
図９は、前記制限子１３Ａ、１３Ｂが脱進機機構のバー１１１上の隆起部分によって形成される変形例を示し、上記により、本発明のこの有利の実施形態の構成部品の総数は大いに削減される。
【００４４】
図５に示すように、角状部２は有利には、アンクルレバー１の慣性及び不均衡を低減するための凹部２９及び／又はチャンバを有する。
【００４５】
本発明はまた、少なくとも１つのこのタイプの脱進機機構１０を含む機械式時計ムーブメント３０にも関する。
【００４６】
本発明はまた、少なくとも１つのこのような機械式時計ムーブメント３０を含む時計４０、特に腕時計にも関する。
【００４７】
本発明は以下の数多くの利点を有する：
−従来のアンクルレバーの剣先の省略；
−上記剣先と連動する安全振り座の省略；
−組み立て作業の省略による、低品質化のリスク及びコストの削減；
−脱進機機構全体の高さの削減（アンクルレバーについて２つではなく１つの高さ、アンクルについて２又は３つではなく１つの高さを用いる）、及びこれに伴うムーブメント全体の高さの削減；
−打抜き加工、又はＤＲＩＥ、シリコン／Ｎｉ−ＬＩＧＡ若しくは同様の製造技術、又はプラスチックの射出成形によるアンクルレバーの製造を可能とする形状及び寸法に関する自由度；
−テンプの振り石を天輪のアームに直接圧入することで、振り座の組み付けが不要となること；
−あらゆる位置において安全機能が保証されること；並びに
−いずれのタイプのレバー脱進機、特にスイスレバー脱進機に適用可能であること。
【符号の説明】
【００４８】
１        アンクルレバー
２Ａ      第１の角状部
２Ｂ      第２の角状部
３        開口部
１０      時計用脱進機機構
１１      テンプ
１２      振り石
１３Ａ    制限子
１３Ｂ    制限子
１５      振り石の軌跡
１６      振り石の軌跡
１７      外側リング
１７Ａ    第１の内側制限表面
１７Ｂ    第２の内側制限表面
１８Ａ    ノッチ
１８Ｂ    ノッチ
１９Ａ    運動領域の端部
１９Ｂ    運動領域の端部
２０      凹状内側外形
２０Ａ    第１の角状部の凹状内側外形
２０Ｂ    第２の角状部の凹状内側外形
２１      第１の円柱形セクタ
２５      凸状外側外形
２５Ａ    第１の角状部の凸状外側外形
２５Ｂ    第２の角状部の凸状外側外形
２６      第２の円柱形セクタ
２９      凹部
３０      機械式時計ムーブメント
４０      腕時計
１１０    天真
１１１    バー
Ｄ        アンクルレバーの枢軸
Ｄ１      テンプの枢軸
ＥＣ      角状部のクリアランス
Ｊ        径方向遊び
ＯＡ      凹状内側外形の中央
ＯＢ      凹状内側外形の中央
Ｐ        正中面
ＲＯ      振り石半径
ＲＣ１    第１の曲率半径
ＲＣ２    第２の曲率半径
ＲＧ      旋回半径
【図１】
0005941119.tif 000002
【図２】
0005941119.tif 000003
【図３】
0005941119.tif 000004
【図４】
0005941119.tif 000005
【図５】
0005941119.tif 000006
【図６】
0005941119.tif 000007
【図７】
0005941119.tif 000008
【図８】
0005941119.tif 000009
【図９】
0005941119.tif 000010
【図１０】
0005941119.tif 000011